(57)【要約】      （修正有）【課題】新生児を養育する親の要望を満たし、使用している乳幼児用寝具を用いて、自らの手を加えた思い出深い記念画像を撮影するための乳幼児用寝具セットを提供する。【解決手段】乳幼児１０を寝具の上に寝かせるか、又は着座させて記念画像を撮影するための乳幼児用寝具セットであって、少なくとも敷寝具１、枕２及び掛寝具３から成り、各寝具の少なくとも二つには誕生日を祝う表示４又は乳幼児の月齢表示のいずれかが施され、表示４が施された寝具を組み合わせることにより前記表示の両方が表示されていることを特徴とする。【選択図】図１
0003199941.tif 000002
【実用新案登録請求の範囲】
【請求項１】
乳幼児を寝具の上に寝かせるか、又は着座させて記念画像を撮影するための乳幼児用寝具セットであって、少なくとも敷寝具、掛寝具及び枕から成り、各寝具の少なくとも二つには誕生日を祝う表示又は乳幼児の月齢表示のいずれかが施され、該表示が施された寝具を組み合わせることにより前記表示の両方が表示されていることを特徴とする乳幼児用寝具セット。
【請求項２】
枕と掛寝具に誕生日を祝う表示又は乳幼児の月齢表示のいずれかが施されていることを特徴とする請求項１に記載の乳幼児用寝具セット。
【請求項３】
月齢表示は月数を表す数字表示と月を示す文字表示とから成り、掛寝具に対して着脱可能であって、手書き、切り貼り、印刷の一つ又は二つ以上を組み合わせた手段によって作成された数字表示が施された表示片を、月を示す文字表示が施された掛寝具に着装することにより、月齢表示が施されていることを特徴とする請求項２に記載の乳幼児用寝具セット。
【請求項４】
枕の背面に誕生日を祝う表示が施されていることを特徴とする請求項２又は３に記載の乳幼児寝具セット。
【請求項５】
前記数字表示がなされた表示片を着装するための手段が掛寝具に設けられていることを特徴とする請求項３に記載の乳幼児寝具セット。
【考案の詳細な説明】
【技術分野】
【０００１】
本考案は記念写真撮影セットしての機能を付与した乳幼児用寝具に関する。
【背景技術】
【０００２】
記念写真の撮影などを目的とした撮影セットとして、観光地、温泉設備、イベント会場などに、その場所や行事に因んだ人物、衣装、風景などを描いた衝立を設置して、衝立から顔を出せるようにした撮影セットは以前よりよく用いられており、さらにゲームセンターやショッピングセンターに設置され、使用者やその友人らと共に好みの背景などと組み合わせて写真を撮影し、シールプリントを作成する写真自販機なども中高校生を中心としてよく使用されている。
【０００３】
さらに、デジタルカメラの機能の向上により、デジタルカメラに予め複数の画像をデータ入力して、被写体の撮影と画像の合成を同時に行うことも提案されている（例えば特許文献１を参照）。
【０００４】
一方、乳幼児用寝具には着脱可能な付属品を取り付けることも多く行われている。乳幼児用寝具は、乳幼児を単に睡眠させるだけでなく、特に乳児の場合にはその上で過ごす時間も多く、生活の場としての機能も持っているためである。例えば、乳幼児用のマットや敷布団に覆着されるシーツに複数種の玩具を着脱自在な掛止具を利用して取付け、マットや敷布団の汚れを防止すると共に、乳幼児が睡眠するだけでなく、種々の遊びをすることができるようにして、乳幼児の知的な生育を促すことができるシーツが提案されている（特許文献２参照）。
【０００５】
また、乳幼児用の寝具などの布製品に着脱自在に表示体を取り付けることで、使用する乳幼児や親の布製品に対する思い入れをより深くすることも提案されている（特許文献３を参照）。この提案では、布製品本体に着脱自在に取り付ける表示体として、使用する乳幼児の写真を印刷した写真を用いることで、親は常に写真表示部を目にすることなり、また使用する乳幼児も成長して、表示体の写真が自分の写真であることを認識するようになり、親も乳幼児も共に、使用した布製品に対する深くて強い愛着を持つことができるとしている。
【０００６】
最近は少子化の傾向にあり、誕生後にわが子の成長軌跡を記録する場合でも、アイデアを活かしていろいろ自ら手を加えて楽しみながら行うようになってきた。そのため、種々の節目に記念となるように工夫を加えて、記念写真としての記録を作成したいとの要望も多くなってきた。しかし、従来から用いられている前記のような撮影用衝立などの小道具やデジタル画像を利用した合成写真では、必ずしも記念品として思い出深いものとはならず、自ら手を加えて記録を作成し、思いで深い記念画像を作成したいとの要望が強い。
【先行技術文献】
【特許文献】
【０００７】
【特許文献１】特開２００２−２４７５０３号公報
【特許文献２】特開２００５−１３４１７号公報
【特許文献３】特開２０１１−１５９０３号公報
【考案の概要】
【考案が解決しようとする課題】
【０００８】
本考案の課題は、前記したような新生児を養育する親の要望を満たすべく、使用している乳幼児用寝具を用いて、自らの手を加えた思い出深い記念画像を撮影するための乳幼児用寝具セットを提供することである。
【課題を解決するための手段】
【０００９】
本考案の乳幼児用寝具セットは、乳幼児を寝具の上に寝かせるか、又は着座させて記念画像を撮影するための乳幼児用寝具セットであって、少なくとも敷寝具、掛寝具及び枕から成り、各寝具の少なくとも二つには誕生日を祝う表示又は乳幼児の月齢表示のいずれかが施されており、該表示が施された寝具を組み合わせることにより前記表示の両方が表示されていることを特徴とする。
【００１０】
そして、上記乳幼児用寝具セットにおいて、各表示は、寝具セットのいずれの寝具に施してもよいが、乳幼児が直接接することになる敷寝具を避けて、枕と掛寝具に誕生日を祝う表示又は乳幼児の月齢表示のいずれかを施すことが好ましい。敷寝具に表示を施すことでもよいが、この場合は、敷寝具をずらして、施した表示の両方が表示されるようにすることが必要である。また、月齢表示は月数を表す数字表示と月を示す文字表示とから成り、掛寝具に対して着脱可能であって、手書き、切り貼り、印刷の一つ又は二つ以上を組み合わせた手段によって作成された数字表示が施された表示片を、月を示す文字表示が施された掛寝具に着装することにより、月齢表示が施されていることが好ましい。さらに、誕生日を祝う表示は枕の背面に施されていることが好ましく、通常の寝具セットの使用では表示が隠されているが、撮影に際して、掛寝具の上に乳幼児と共に背面を上にして配置することで表示をすることができる。
【００１１】
また、掛寝具には、前記数字表示がなされた表示片を着装するための手段が掛寝具に設けられており、この表示片が着脱可能となっていることも好ましい形態である。
【００１２】
尚、本考案に於ける誕生日とは、毎月の誕生した日のことであり、月齢ごとの誕生日のことをいい、１〜１２ケ月児などをその日に毎月祝うものである。そして、誕生日を祝う表示とは、「誕生日おめでとう！」や「Happy Birthday！」など一般に誕生日カードや誕生日プレゼントなどに記載する文言表示のことである。
【００１３】
また、本考案の乳幼児用寝具セットを構成する敷寝具とは、その上に乳幼児を寝かせるための寝具のことであり、例えば敷布団、マットレス、ベッドパッド、シーツ、毛布、タオルシーツ、キルトマット、おくるみ、アフガン、バスタオル、プレイマットやルームマットを含む敷物などやそれらの組み合わせである。掛寝具とは、寝かせた乳幼児の体の上に掛ける寝具のことであり、掛布団、毛布、タオルケット、ガーゼケット、キルトケット、布団カバーなどやそれらの組み合わせである。枕はカバーが付けられているものも含む。そして、カバーが付けられている場合には、施される表示や表示片を着装するための手段がそれぞれのカバーに施されたり、設けられたりした場合でも、構成寝具に設けられているものとする。
【考案の効果】
【００１４】
本考案の乳幼児用寝具セットは、新生児の時から１歳児位までの間に主に使用されるものであり、わが子が多くの時間を過ごした場でもあり、その間の成長は著しいものである。そのため、使用してきた寝具と一緒になったわが子の月齢ごとの記念画像は思いで深いものになり、また、わが子自身も成長した後、1歳前後の誕生日までの乳児の時期の姿を確認できる記念画像ともなる。さらに、月齢の数字表示など親が自らの手を加えたり、予め施されている表示に加えて、独自のメッセージを表示したカード等をわが子の傍らにも配置したりして、独自の記念品とすることもでき、後になって、親だけでなく成長したわが子にとって思いで深い記念品とすることができるものである。
【図面の簡単な説明】
【００１５】
【図１】本考案の乳幼児用寝具セット、及び掛寝具の上に乳児を寝かせて、撮影準備が完了した寝具セットの説明図である。
【図２】本考案における月齢表示の月数を示す数字表示の説明図である。
【図３】誕生日を祝う表示が背面に施された枕の説明図である。
【図４】掛寝具に数字表示がなされた表示片を着装するための手段としてリボンが設けられ幼児用寝具セットの説明図である。
【図５】数字表示をマスキングテープの切り貼りにより行った乳幼児用寝具セットの説明図である。
【考案を実施するための形態】
【００１６】
以下本考案の実施の形態について、図面を参照し詳細な説明を行う。
【００１７】
図１において、（１−１）に敷寝具１、枕２及び掛寝具３とから成る乳幼児用寝具セットを示し、（１−２）に掛寝具３の上に乳幼児１０を寝かせて、撮影準備が完了した乳幼児用寝具セットを示す。掛寝具３には乳幼児１０の月齢表示が、月数を示す数字表示６を示す表示片７と、掛寝具３に施された月を示す文字表示５とにより施されている。文字表示５としてはこの例では「Months」を使用しているが、「月」、「ケ月」の他外国語表現など撮影者の好みに合わせて使用することができる。（１−２）に示す撮影準備が完了したセットでは、乳幼児１０の傍らに、裏返され背面を上にした枕２が配置され、背面に表示された誕生日を祝う表示４の「Happy Birthday！」が示されている。この表示４はこの文言に限定されることなく、誕生日を祝う文言表示であればよい。
【００１８】
図２には、月数を示す「３」や「１２」などの数字表示６がなされた表示片７を示す。数字としては通常１〜１２であるが、生まれてすぐの０歳児のための「０」や1歳児以上のために「１３」以上の数字であってもよい。この表示片７は掛寝具３に対して着脱可能であり、数字表示６は、手書き、切り貼り、印刷の一つ又は二つ以上を組み合わせた手段によって作成され施されている。撮影者である親は、紙や不織布などに数字表示６が印刷され予め作成された表示片７を適宜選択するか、種々の数字表示が印刷された紙や不織布などから適宜切り出して、表示片７を作成して使用することができる。また、紙や不織布にフェルトペンなどで手書きしたり、マスキングテープを切り貼りしたりして数字表示６を作成してもよく、親の好みに合わせて、独自のものを作成することができる。作成した表示片７は、月を示す文字表示５が施された掛寝具３に着装され、両者あわせて乳幼児の月齢表示となる。
【００１９】
また、表示片７は掛寝具３に着脱可能であるが、寝具セットに於いて、掛寝具は水平にセットされるため、表示片７を掛寝具３に置くことで着装したり、取り除いたりすることが可能であり、特別な手段を付与しなくとも、着脱可能な機能は持っている。しかしながら、勝手気ままに動くことの多い乳幼児の近傍に配置するために、着装するための機能を付与して、一時的にでも固定することが好ましい。例えば、粘着テープなどを用いて、裏面に粘着層を設けることや、さらには、掛寝具３に表示片７を着装するための手段を設けることでもよい。このような手段としては、掛寝具３に面ファスナーのフック面を設け、表示片７の裏面をトリコット生地や面ファスナーのループ面とするか、又はループ面とフック面を逆にするかにより、着装することができる。その他、掛寝具３にボタン、リボン、紐などを取り付けて、表示片７に設けた穴やスリットを利用して一時的に固定することもできる。このような着装手段は、いずれも一旦着装した表示片を、簡単に離脱させることができ、着脱可能な手段である。
【００２０】
図３は枕２の実施例であり、（３−１）が表面を示し、（３−２）が背面を示す。枕２の背面には誕生日を祝う表示４の「Happy Birthday！」が施されている。図１の（１−１）に示すように、通常では表面を出して使用し、撮影用にセットした（１−２）では背面を出して、乳幼児１０の傍らに配置している。
【００２１】
図４は、掛寝具３に設けられたリボン８に星形の表示片７を取り付けた寝具セットを示している。掛寝具の柄であるちりばめた星に合わせて、枕２も星形として統一している。この枕２の裏面にも誕生日を祝う表示がなされており、撮影用にセットする場合には、この枕を裏返して、撮影対象の乳幼児の傍らに配置することは図１に示したものと同様である。
【００２２】
図４では、星形の表示片７を掛寝具３に取り付けたリボン８と一緒に配置している。この場合、単に配置するだけでもよく、表示片の裏面に粘着層を設けて、リボン８のテープに粘着させてもよい。そして、リボン８の他のテープに、親から子供に向けてのメッセージを載せたカードを配置してもよい。このようなバリエーションは、撮影者である親の好みより、適宜デザインすることで行うことができる。
【００２３】
図４に示した星形の表示片７は、紙、不織布、布、プラスチックシート等を、星形に切り抜いたり、成型したりした素材片の表面に数字表示６を施したものであるが、数字表示６は通常の印字、描画手段で行えばよく、例えば筆やフェルトペンなどの筆記具による手書きや着色テープを切り貼りしてもよく、転写やプリントによって印字してもよい。
【００２４】
また、表示片７を布で作成した場合には、単に切り抜くだけでなく、縫製して中わたを入れるなどして、布細工としてもよい。この場合、月数を示す数字表示６は月ごとに替わるため、各種の色が揃っており貼着剥離が自在なマスキングテープを用いて、このテープを切り取って、仮留めして数字表示６とすることは有用である。図５における数字表示６はテープにより数字表示６を形成させた例を示す。
【００２５】
以上説明した実施例では、掛寝具３と枕２に表示を施す例を示したが、敷寝具１に表示を施してもよく、その他、組み合わせをいろいろ変更したりすることもでき、好みに合わせて組み合わせればよい。
【００２６】
本考案の寝具セットを構成する敷寝具、掛寝具及び枕は、前記したような寝具又はそれらの組み合わせからなるものである。そして、以上具体的説明した構成以外に関しては、材質、形状などは一般に市販されている繊維製品と同じものが使用でき、特に限定されない。また、寝具セットをベビーベッドに組み合わせてもよい。
【符号の説明】
【００２７】
１  敷寝具
２  枕
３  掛寝具
４  誕生日を祝う表示
５  月を示す文字表示
６  月数を示す数字表示
７  数字表示がなされた表示片
８  リボン
【図１】
0003199941.tif 000003
【図２】
0003199941.tif 000004
【図３】
0003199941.tif 000005
【図４】
0003199941.tif 000006
【図５】
0003199941.tif 000007